(57)【要約】【課題】使用方法が判りやすく使い勝手の良い配線装置を提供する。【解決手段】器体１前面下部の凹所２４に設けられた窓孔２５，２６を通して第２及び第３のモジュラジャック１６，１３の差込口１６ａ，１３ａを外部へ臨ませている。またカバー３の凹所２４は蓋体４０によって開閉自在に覆い隠される。従って、高速データ通信サービスを利用しない場合には蓋体４０を閉位置に動かして第２及び第３のモジュラジャック１６，１３を覆い隠してしまうから、従来例のようにスプリッタの接続時にのみ使用する第２及び第３のモジュラジャック１６，１３が常に露出した状態にある場合に比較して使用方法が判りやすく使い勝手が良くなる。【選択図】        図１
2006006013.tif 000002
【特許請求の範囲】
【請求項１】
宅内に引き込まれた公衆網の加入者線が接続される加入者線接続端子部と、宅内に設置された１乃至複数のモジュラコンセントに接続するためのモジュラケーブルが接続される１乃至複数のモジュラケーブル接続端子部と、電話機に接続するモジュラケーブルのモジュラプラグが挿抜自在に接続される第１のモジュラジャックと、加入者線接続端子部を介して加入者線と接続されるとともにデータ通信用の機器に接続するモジュラケーブルのモジュラプラグが挿抜自在に接続される第２のモジュラジャックと、第１のモジュラジャックと接続されるとともにデータ通信用の機器が具備する戻し配線用のコネクタに接続するモジュラケーブルのモジュラプラグが挿抜自在に接続される第３のモジュラジャックと、第１のモジュラジャック並びにモジュラケーブル接続端子部を加入者線接続端子部を介して加入者線に接続する状態と加入者線に接続しない状態とを択一的に切り換える切換手段と、加入者線接続端子部とモジュラケーブル接続端子部と第１乃至第３のモジュラジャックと切換手段とを収納して壁面のような造営面に配設される器体と、器体前面に露設された第１乃至第３のモジュラジャックのうちの第２及び第３のモジュラジャックを覆い隠す閉位置と第２及び第３のモジュラジャックを露出させる開位置との間で可動自在として器体前面に設けられる蓋体とを備えたことを特徴とする配線装置。
【請求項２】
器体前面から器体後方に向けて所定深さに形成され、開位置にある蓋体が進退自在に収納される収納溝部を備えたことを特徴とする請求項１記載の配線装置。
【請求項３】
蓋体の可動方向と交差する方向に撓み自在である撓み部が蓋体又は器体の何れか一方に設けられ、蓋体が閉位置にあるときに互いに凹凸係合して蓋体を閉位置にロックする係合突起と第１の係合凹部の一方が撓み部に設けられるとともに他方が撓み部に対向する器体に設けられたことを特徴とする請求項１又は２記載の配線装置。
【請求項４】
蓋体の可動方向と交差する方向に撓み自在である撓み部が蓋体又は器体の何れか一方に設けられ、蓋体が収納溝部に収納されているときに互いに凹凸係合して蓋体を閉位置にロックする係合突起と第２の係合凹部の一方が撓み部に設けられるとともに他方が撓み部に対向する器体に設けられたことを特徴とする請求項２記載の配線装置。
【請求項５】
第２及び第３のモジュラジャックとデータ通信用の機器との接続関係を説明するための図や文字を、蓋体の開位置においてのみ視認可能となる蓋体又は器体の部位の少なくとも何れか一方に表示したことを特徴とする請求項１〜４の何れかに記載の配線装置。
【請求項６】
前記図や文字と、使用方法の説明のための図や文字との一方を蓋体の開位置においてのみ視認可能となる蓋体に表示するとともに他方を蓋体の開位置においてのみ視認可能となる器体の部位に表示したことを特徴とする請求項５記載の配線装置。
【発明の詳細な説明】
【技術分野】
【０００１】
本発明は、公衆網の加入者線に電話機とデータ通信用の機器を接続するための配線装置に関する。
【背景技術】
【０００２】
近年、高速アクセス回線技術のニーズが高まっており、ｘＤＳＬ技術が注目されている。ｘＤＳＬ技術は、既存のメタリックの加入者線（銅線ケーブル）の両端、つまり、加入者宅とサービス提供者（通信事業者）の収容局との両方に、それぞれｘＤＳＬモデムを設置し、加入者線を利用して高速ディジタル伝送を行う技術である。ｘＤＳＬには種々の方式があるが、その大半の方式において、同一電話回線上で高速データ通信サービスと電話サービスとの同時利用が可能である。このため、ｘＤＳＬ技術は、既存のインフラストラクチャを利用して、迅速・安価にサービスの提供が可能となるだけでなく、既存の電話サービスと高速データ通信サービスとを同時利用したいという加入者（ユーザ）のニーズにも対応することが可能となる。
【０００３】
ここに、同一の加入者線で電話サービスと高速データ通信サービスとの同時利用を行う場合、同一回線上に電話信号とデータ伝送信号とが混在するから、一般的な電話機をそのまま回線に接続すると、データ伝送信号の影響で電話信号にノイズが混入することがあるので、ｘＤＳＬ技術では電話信号とデータ伝送信号とを分離するスプリッタを加入者線と電話機との間に設けるのが一般的である。
【０００４】
ところで近年では、加入者線から分岐した複数の電話ケーブルを先行配線して宅内の複数の部屋に電話コンセントが設置される場合が増えている。しかしながら、何れか一つの電話コンセントにスプリッタを接続して電話信号をデータ伝送信号と分離した場合、残りの電話コンセントでは電話信号とデータ伝送信号とが混在したままとなるから、これらの電話コンセントに電話機やファクシミリを接続して使用することができず、電話ケーブル及び電話コンセントを先行配線したメリットが失われてしまうことになる。
【０００５】
そこで、スプリッタを使用したときにおいても先行配線された電話コンセントに電話機などを接続して使用可能とする配線装置が提供されている。この配線装置は、図１０及び図１１に示すように切分け器１００と３つの電話用モジュラジャック１０１，１０２，１０３とで構成される。切分け器１００は、送り配線可能な２系統の端子部を備え、一方の系統の端子部と送り端子部に各々加入者線と１つの電話用モジュラジャック１０１とが接続され、他方の系統の端子部及び送り端子部に残り２つの電話用モジュラジャック１０２，１０３と先行配線された電話コンセントとが接続され、スライドスイッチ１００ａを操作して２つの系統の端子部間が接続される状態と２つの系統の端子部間が切り離された状態とを択一的に切り換えるものである（例えば、特許文献１又は特許文献２参照）。尚、図示例における切分け器１００並びに電話用モジュラジャック１０１〜１０３は、何れも日本工業規格に規定された大角形連用配線器具の１個モジュールに形成され、取付枠（ＪＩＳ  Ｃ８３７５に規定されている大角形連用配線器具の取付枠）６１を用いて壁面のような造営面に埋込配設される。ここで、図８及び図９においてはＬＡＮケーブルとともに先行配線されたＬＡＮ用モジュラジャック６２が取付枠６１を用いて並設されている。
【０００６】
この従来例においてｘＤＳＬ技術などによる高速データ通信サービスを利用するときは、スライドスイッチ１００ａを操作して２つの系統の端子部間が切り離された状態に設定し、加入者線と接続されている電話用モジュラジャック１０１にスプリッタを接続するとともにスプリッタの電話用コネクタと他系統の電話用モジュラジャック１０２（又は１０３）とを電話ケーブルで接続する戻し配線を行えば、先行配線された電話コンセントと加入者線との間にスプリッタが挿入され、先行配線された電話コンセントにも電話機やファクシミリを接続して使用することができる。
【特許文献１】特許第２８５８７７８号公報
【特許文献２】特開平６−５１４６号公報
【発明の開示】
【発明が解決しようとする課題】
【０００７】
ところが上記従来例では、スプリッタの接続時にのみ使用する電話用モジュラジャック１０１が常に露出した状態にあるために使用方法が判り難いという問題があった。
【０００８】
本発明は上記問題に鑑みて為されたものであり、その目的は、使用方法が判りやすく使い勝手の良い配線装置を提供することにある。
【課題を解決するための手段】
【０００９】
請求項１の発明は、上記目的を達成するために、宅内に引き込まれた公衆網の加入者線が接続される加入者線接続端子部と、宅内に設置された１乃至複数のモジュラコンセントに接続するためのモジュラケーブルが接続される１乃至複数のモジュラケーブル接続端子部と、電話機に接続するモジュラケーブルのモジュラプラグが挿抜自在に接続される第１のモジュラジャックと、加入者線接続端子部を介して加入者線と接続されるとともにデータ通信用の機器に接続するモジュラケーブルのモジュラプラグが挿抜自在に接続される第２のモジュラジャックと、第１のモジュラジャックと接続されるとともにデータ通信用の機器が具備する戻し配線用のコネクタに接続するモジュラケーブルのモジュラプラグが挿抜自在に接続される第３のモジュラジャックと、第１のモジュラジャック並びにモジュラケーブル接続端子部を加入者線接続端子部を介して加入者線に接続する状態と加入者線に接続しない状態とを択一的に切り換える切換手段と、加入者線接続端子部とモジュラケーブル接続端子部と第１乃至第３のモジュラジャックと切換手段とを収納して壁面のような造営面に配設される器体と、器体前面に露設された第１乃至第３のモジュラジャックのうちの第２及び第３のモジュラジャックを覆い隠す閉位置と第２及び第３のモジュラジャックを露出させる開位置との間で可動自在として器体前面に設けられる蓋体とを備えたことを特徴とする。
【００１０】
請求項２の発明は、請求項１の発明において、器体前面から器体後方に向けて所定深さに形成され、開位置にある蓋体が進退自在に収納される収納溝部を備えたことを特徴とする。
【００１１】
請求項３の発明は、請求項１又は２の発明において、蓋体の可動方向と交差する方向に撓み自在である撓み部が蓋体又は器体の何れか一方に設けられ、蓋体が閉位置にあるときに互いに凹凸係合して蓋体を閉位置にロックする係合突起と第１の係合凹部の一方が撓み部に設けられるとともに他方が撓み部に対向する器体に設けられたことを特徴とする。
【００１２】
請求項４の発明は、請求項２の発明において、蓋体の可動方向と交差する方向に撓み自在である撓み部が蓋体又は器体の何れか一方に設けられ、蓋体が収納溝部に収納されているときに互いに凹凸係合して蓋体を閉位置にロックする係合突起と第２の係合凹部の一方が撓み部に設けられるとともに他方が撓み部に対向する器体に設けられたことを特徴とする。
【００１３】
請求項５の発明は、請求項１〜４の何れかの発明において、第２及び第３のモジュラジャックとデータ通信用の機器との接続関係を説明するための図や文字を、蓋体の開位置においてのみ視認可能となる蓋体又は器体の部位の少なくとも何れか一方に表示したことを特徴とする。
【００１４】
請求項６の発明は、請求項５の発明において、前記図や文字と、使用方法の説明のための図や文字との一方を蓋体の開位置においてのみ視認可能となる蓋体に表示するとともに他方を蓋体の開位置においてのみ視認可能となる器体の部位に表示したことを特徴とする。
【発明の効果】
【００１５】
請求項１の発明によれば、例えばｘＤＳＬ技術を用いた高速データ通信サービスを利用する場合、切換手段によって第１のモジュラジャック並びにモジュラケーブル接続端子部を加入者線接続端子部を介して加入者線に接続しない状態に切り換え、蓋体を開位置に動かして第２及び第３のモジュラジャックを露出させるとともに、データ通信用の機器（スプリッタ）に接続するモジュラケーブルのモジュラプラグを第２のモジュラジャックに接続し、スプリッタが具備する戻し配線用のコネクタに接続するモジュラケーブルのモジュラプラグを第３のモジュラジャックに接続することにより、第１のモジュラジャックとモジュラケーブル接続端子部が第３のモジュラジャックからスプリッタを介して加入者線に接続されるため、モジュラケーブル接続端子部に接続された電話ケーブルにより先行配線された電話コンセントと加入者線との間にスプリッタが挿入され、先行配線された電話コンセントにも電話機やファクシミリを接続して使用することができ、しかも、高速データ通信サービスを利用しない場合には蓋体を閉位置に動かして第２及び第３のモジュラジャックを覆い隠してしまうから、従来例のようにスプリッタの接続時にのみ使用する第２及び第３のモジュラジャックが常に露出した状態にある場合に比較して使用方法が判りやすく使い勝手が良くなるという効果がある。
【００１６】
請求項２の発明によれば、器体に設けた収納溝部に蓋体を収納すれば、第２及び第３のモジュラジャックにモジュラプラグを接続する際に蓋体が邪魔にならずモジュラプラグが摘みやすくなるために作業性が向上するという効果がある。
【００１７】
請求項３の発明によれば、係合突起と第１の係合凹部を凹凸係合して蓋体を閉位置にロックすることにより蓋体が不用意に開くことが防止でき、しかも、第１の係合凹部と係合する係合突起が蓋体若しくは器体に対して撓み自在とした撓み部に設けてあるから、蓋体全体を撓ませてロック・アンロックする場合に比較して係合突起が削れ難くなり、蓋体の開閉に対する耐久性が向上するという効果がある。
【００１８】
請求項４の発明によれば、係合突起と第２の係合凹部を係合して蓋体を収納溝部に収納した状態にロックすることにより蓋体が不用意に収納溝部から退出することが防止できるという効果がある。
【００１９】
請求項５の発明によれば、図や文字を表示することで第２及び第３のモジュラジャックとデータ通信用の機器との接続関係が判りやすくなり、しかも、不要なときには図や文字が表示された部位が蓋体で隠されるために見栄えも良いという効果がある。
【００２０】
請求項６の発明によれば、蓋体と器体の２箇所で図や文字を表示することにより少ないスペースで十分な図や文字を表示することができるという効果がある。
【発明を実施するための最良の形態】
【００２１】
以下、図１〜図９を参照して本発明の一実施形態を詳細に説明する。
【００２２】
合成樹脂成型品からなる器体１は、前面が開口した矩形箱形のボディ２と、後面が開口した矩形箱形であってボディ２の前面に被着されるカバー３とで構成され、後述するように壁面に設けられた埋込孔にボディ２の後端部を埋め込む形で埋込配設される。ボディ２前面の左右両端には外側に突出する外鍔２ａがそれぞれ設けられ、各外鍔２ａの上下両端部には矩形の組立孔２ｂが前後方向に貫設されている。またカバー３は左右両端部よりも前後方向の奥行き寸法が大きいボス部３ａと、ボス部３ａの左右両側にある肩部３ｂとが一体に形成されている。肩部３ｂの上下両端部には後方に突出する組立脚４がそれぞれ設けられ、各組立脚４の先端には左右外向きに突出する組立爪４ａが突設されている。すなわち、組立脚４の先端をボディ２の外鍔２ａに貫設されている組立孔２ｂに挿入するようにしてボディ２の前面にカバー３を被着すれば、組立孔２ｂの周縁に組立爪４ａが当接することで組立脚４が内向きに撓み、やがて組立爪４ａが組立孔２ｂを通過すると組立脚４が弾性力で元の位置に復帰し、組立爪４ａが組立孔２ｂの周縁における外鍔２ａに係合することによりボディ２とカバー３が結合されて器体１が組み立てられる。尚、組立孔２ｂへの挿入をガイドするために組立爪４ａの後面には外向きに傾斜する傾斜面が形成されている。
【００２３】
ボディ２後面の左右方向中央部には後方へ突出する突台部５が設けられ、この突台部５には３つの開口部６ａ，６ｂ，６ｃが上下方向に並べて設けられている（図４（ｂ）参照）。上段の開口部６ａからは加入者線が接続される加入者線接続端子部７の端面が露出し、中段及び下段の開口部６ｂ，６ｃからは宅内に設置された複数のモジュラコンセントに接続するためのモジュラケーブルが接続される複数のモジュラケーブル接続端子部８の端面が露出する。加入者線接続端子部７は、従来周知の速結端子が角筒状のハウジング内に２つ収納されたものであって、開口窓６ａから露出する一方の端面に設けられた一対の電線挿入口７ａから挿入された電線（加入者線）が内部の速結端子にそれぞれ接続され、他方の端面から突出する一対の端子片７ｂと２本の電線が格別に導通することになる。またモジュラケーブル接続端子部８は角筒状のハウジング内に４つの速結端子が収納されたものであって、加入者線接続端子部７と同様に開口窓６ｂ又は６ｃから露出する一方の端面に設けられた各一対の電線挿入口８ａから挿入された電線（モジュラケーブル）が内部の速結端子にそれぞれ接続され、他方の端面から突出する各一対の端子片８ｂと４本の電線が格別に導通することになる。そして加入者線接続端子部７と２つのモジュラケーブル接続端子部８とは、プリント配線板９のスルーホールに挿通された端子片７ｂ，８ｂがプリント配線板９の導電パターンに半田付けされることで１枚のプリント配線板９に上下方向に並べて実装され、ボディ２内の突台部５と対応する凹部５ａに収納される。
【００２４】
ボディ２内の凹部５ａの左右両側には第１のモジュラジャックブロック１０と第２のモジュラジャックブロック１１とがそれぞれ収納される。第１のモジュラジャックブロック１０は、電話機に接続するモジュラケーブルのモジュラプラグが挿抜自在に接続される第１のモジュラジャック１２と、第１のモジュラジャック１２と接続されるとともにデータ通信用の機器（例えば、スプリッタ）が具備する戻し配線用のコネクタに接続するモジュラケーブルのモジュラプラグが挿抜自在に接続される第３のモジュラジャック１３と、第１及び第３のモジュラジャック１２，１３を実装したプリント配線板１４とで構成される。第１及び第３のモジュラジャック１２，１３はＲＪ−１１と呼ばれる電話回線用のコネクタからなり、角筒状に形成されたハウジングの一端面にモジュラプラグが差し込まれる差込口１２ａ，１３ａが開口し、差込口１２ａ，１３ａ内に配設された一対のコンタクト（図示せず）がモジュラプラグを介してモジュラケーブルの一対の電線と格別に接続される。またプリント配線板１４の導電パターンとプリント配線板９の導電パターンとが一対のリード線１５によって接続され、第１及び第３のモジュラジャック１２，１３とモジュラケーブル接続端子部８とがリード線１５を介して互いに並列に接続されている。
【００２５】
一方第２のモジュラジャックブロック１１は、加入者線接続端子部７を介して加入者線と接続されるとともにデータ通信用の機器（スプリッタ及びｘＤＳＬモデム）に接続するモジュラケーブルのモジュラプラグが挿抜自在に接続される第２のモジュラジャック１６と、第１のモジュラジャック１２並びにモジュラケーブル接続端子部８を加入者線接続端子部７を介して加入者線に接続する状態と加入者線に接続しない状態とを択一的に切り換える切換スイッチ１８と、第２のモジュラジャック１６と切換スイッチ１７を実装したプリント配線板１８とで構成される。第２のモジュラジャック１６は第１及び第３のモジュラジャック１２，１３と同じくＲＪ−１１と呼ばれる電話回線用のコネクタからなり、角筒状に形成されたハウジングの一端面にモジュラプラグが差し込まれる差込口１６ａが開口し、差込口１６ａ内に配設された一対のコンタクト（図示せず）がモジュラプラグを介してモジュラケーブルの一対の電線と格別に接続される。切換スイッチ１７は２極双投型のスライドスイッチからなり、ケースの前面に設けられた操作つまみ１７ａをスライド操作することで２極の共通接点を各々２極の切換接点に択一的に接触導通させるものである。但し、切換スイッチ１７の操作つまみ１７ａには操作ハンドル１９が前方から取着され、操作ハンドル１９の前面に設けた操作突起１９ａがカバー３のボス部３ａに貫設された操作窓２１にスライド自在に挿入される。またプリント配線板１８の導電パターンとプリント配線板９の導電パターンとが４本のリード線２０によって接続され、切換スイッチ１７の共通接点に加入者線接続端子部７が接続され、一方の切換接点に第２のモジュラジャック１６が接続されるとともに他方の切換接点にモジュラケーブル接続端子部８並びに第１及び第３のモジュラジャック１２，１３が互いに並列に接続されている。そして、第１及び第２のモジュラジャックブロック１０，１１は、それぞれリード線１５，２０によってプリント配線板９と接続され、各々のプリント配線板１４，１８に設けられた切り欠き部１４ａ，１８ａをボディ２内に突設されている位置決めリブ２ｃに係合することでボディ２内における凹部５ａの左右両側にそれぞれ位置決めされた状態で収納される（図７参照）。
【００２６】
カバー３のボス部３ａ前面の上側には切換スイッチ１７の操作つまみ１７ａに取着された操作ハンドル１９の操作突起１９ａがスライド自在に挿入される操作窓２１と、第１のモジュラジャック１２の差込口１２ａを外部へ臨ませる窓孔２３が底面に開口した凹部２２とが設けられ、カバー３のボス部３ａ前面の下側にはボス部３ａの左右幅寸法よりも僅かに小さい幅寸法を有する凹所２４が設けられている。また凹所２４の底面における左右両端部には、第２及び第３のモジュラジャック１６，１３の差込口１６ａ，１３ａを外部へ臨ませる窓孔２５，２６が貫設されている。さらにカバー３の肩部３ｂ前端における上下両端部には各一対の取付爪２７が左右方向へ突設されており、後述するようにこれらの取付爪２７を利用して器体１が取付枠６０に取り付けられる。
【００２７】
ところで、第１〜第３のモジュラジャック１２，１３，１６の差込口１２ａ，１３ａ，１６ａが窓孔２３，２５，２６を通して常時露出していると埃などの異物が差込口１２ａ，１３ａ，１６ａ内に侵入してモジュラジャック１２，１３，１６のコンタクト間が短絡したりモジュラプラグとの接続不良が生じるといった不具合が生じる虞がある。そのために本実施形態では、カバー３のボス部３ａに設けた窓孔２３，２５，２６を開閉自在に塞ぐ扉体２８を設け、モジュラプラグが差込接続されないときに窓孔２３，２５，２６を扉体２８で塞ぐことにより差込口１２ａ，１３ａ，１６ａ内に異物が侵入することを防いでいる（図６参照）。扉体２８は矩形平板状に形成され、前面の下端中央にはつまみ２８ａが突設されており、このつまみ２８ａだけを後方から窓孔２３，２５，２６へ挿通した状態で支持板２９により上下方向にスライド移動自在に支持される。支持板２９は矩形平板状の金属板からなり、第１〜第３のモジュラジャック１２，１３，１６の差込口１２ａ，１６ａ，１３ａをそれぞれ前方へ露出する３つの開口部２９ａと、操作ハンドル１９を挿通する挿通孔２９ｂと、カバー３の前壁（ボス部３ａ）から後方へ突設されて凹部５ａに収納されたプリント配線板９と第１及び第２のモジュラジャックブロック１０，１１を仕切る一対の仕切壁３ｃが挿通される挿通口２９ｃと、複数の圧入孔２９ｄとが貫設されており、カバー３の前壁（ボス部３ａ）に突設されている複数の突起３ｄを圧入孔２９ｄにそれぞれ圧入することでカバー３の前壁に対向する形で取り付けられる（図５（ｂ）参照）。このとき支持板２９とカバー３の前壁との間には扉体２８が上下方向にスライド移動可能な程度の隙間が設けられており、つまみ２８ａを窓孔２３，２５，２６に挿通した扉体２８が支持板２９とカバー３の前壁との間の隙間内で上下方向にスライド移動自在に支持される。
【００２８】
またカバー３の凹所２４は蓋（蓋体）４０によって開閉自在に覆い隠される。蓋体４０は矩形平板状の合成樹脂成型品からなり、四周を囲む周壁４１が後面より突設され、下端側の周壁４１側面から各々円筒形の軸４２が突設されている。一方、カバー３の凹所２４下端側における左右両端面には軸４２が挿入される軸受け溝３０が設けられており、各軸受け溝３０に各々軸４２を嵌入することにより、凹所２４を覆い隠す閉位置（図１（ａ）参照）と凹所２４を露出する開位置（図１（ｂ）参照）との間で軸４２を支点として上下方向に回動自在に蓋体４０がカバー３のボス部３ａに取り付けられる。ここで、凹所２４下端部には器体１前面から器体１後方に向けて所定深さに形成され、開位置にある蓋体４０が進退自在に収納される収納溝部３１が設けられるとともに、軸受け溝３０が収納溝部３１と並行する形で器体１後方に向けて収納溝部３１と同程度の深さに延設されている（図５（ｂ）参照）。従って、開位置にある蓋体４０を後方へ押せば、軸４２が軸受け溝３０に嵌った状態で蓋体４０が収納溝部３１内に収納される（図１（ｃ）参照）。
【００２９】
次に蓋体４０を閉位置でロックするロック機構について説明する。図８に示すように蓋体４０の左右の周壁４１における上端部には上下方向のスリット４３ａが設けられ、蓋体４０の回動方向と交差する方向（左右方向）に撓み自在であり且つ凹所２４の側面と対向する外側面に係合突起４４が突出する撓み部４３がスリット４３ａによってそれぞれ形成されている。一方、凹所２４の上部両側面には撓み部４３に設けられた係合突起４４が係合する係合凹部３２が設けられている。また凹所２４の側面における係合凹部３２の前方の部位は、蓋体４０が開位置から閉位置に移動する際に撓み部４３の係合突起４４に当接する当接部３３となり、蓋体４０を閉じる際に当接部３３を乗り越えた係合突起４４が係合凹部３２に凹凸係合することで蓋体４０が閉位置にロックされる（図１（ａ）参照）。また蓋体４０の上側の周壁４１の中央部には爪などを引っかけるための凹溝４５が設けられ、この凹溝４５と対向するカバー３のボス部３ａには逃がし用の凹溝３４が設けられており、凹溝４５に爪を引っかけて蓋体４０を手前に引けば、係合凹部３２と係合突起４４の係合が外れて蓋体４０を閉位置から開位置に回動することができる。また蓋体４０を収納溝部３１に収納したとき、撓み部４３の係合突起４４が軸受け溝３０に係合することで蓋体４０が収納溝部３１に収納された状態でロックされるため、蓋体４０が収納溝部３１から不用意に退出することが防止できる。
【００３０】
ここで撓み部４３を設けずに係合突起４４のみを蓋体４０に設けた場合、係合突起４４を係合凹部３２に係合する際に蓋体４０全体を撓ませることで係合突起４４に当接部３３を乗り越えさせる必要があり、開閉の繰り返しによって係合突起４４が削れ易くなる虞がある。それに対して本実施形態では係合突起４４を撓み部４３に設けているため、蓋体４０全体を撓ませてロック・アンロックする場合に比較して係合突起４４が削れ難くなり、蓋体４０の開閉に対する耐久性が向上するという利点がある。但し、図９に示すように蓋体４０の上側周壁４１における左右両端部に撓み部４３を設けるとともに、凹所２４の上側側面における左右両端部に係合凹部３２並びに当接部３３を設けるようにしても構わない。尚、本実施形態では撓み部４３並びに係合突起４４を蓋体４０に設け、係合凹部３２並びに当接部３３を器体１に設けているが、撓み部４３に係合凹部３２及び当接部３３を設けるとともに係合突起４４を器体１に設けてもよいし、撓み部４３及び係合突起４４を器体１に設けるとともに係合凹部３２並びに当接部３３を蓋体４０に設けてもよい。
【００３１】
また凹所２４底面の窓孔２５，２６を除く部位と蓋体４０の背面とには各々ラベル３５，４６が貼着されている。凹所２４に貼着されるラベル３５には、図６に示すように第２及び第３のモジュラジャック１６，１３とデータ通信用の機器（スプリッタ）との接続関係を説明するための図や文字が表示され、蓋体４０に貼着されるラベル４６には、後述するＬＡＮ用モジュラジャック６２を利用する場合の配線方法（使用方法）を説明するための図や文字が表示されている。
【００３２】
上述のように構成される本実施形態の配線装置Ａは、図３及び図４に示すように所謂２連型の取付枠６０に取り付けられ、２つのＬＡＮ用モジュラジャック６２が取り付けられた１連型の取付枠６１と並べる形で壁面に設けた埋込孔に埋込配設される。ＬＡＮ用モジュラジャック６２はＲＪ−４５と呼ばれ、１０ＢＡＳＥ−Ｔや１００ＢＡＳＥ−Ｔなどのより対線ＬＡＮのコネクタとして用いられる従来周知のものである。また取付枠６０，６１は日本工業規格に規定された大角形連用配線器具の取付枠（ＪＩＳ  Ｃ８３７５参照）であり、前面にはフラッシプレート（ＪＩＳ  Ｃ８３１６参照）６３が取り付けられて壁面に施工される。
【００３３】
最後に本実施形態の使用方法について説明する。ＡＤＳＬなどの高速データ通信サービスを利用しない場合には、図１（ａ）又は図３（ａ）に示すように操作ハンドル１９を左側の位置に操作することにより、切換スイッチ１７を、加入者線接続端子部７が接続された共通端子をモジュラケーブル接続端子部８並びに第１及び第３のモジュラジャック１２，１３が互いに並列に接続された切換接点に接続する状態にする。その結果、第１のモジュラジャック１２並びにモジュラケーブル接続端子部８が加入者線接続端子部７を介して加入者線に直接接続されることになり、第１のモジュラジャック１２やモジュラケーブル接続端子部８にモジュラケーブルを介して接続された電話コンセントに電話機やファクシミリを接続して使用することができる。このとき蓋体４０が閉位置にロックされて第２及び第３のモジュラジャック１６，１３を隠している。
【００３４】
一方、ＡＤＳＬなどの高速データ通信サービスを利用する場合、図１（ｂ）（ｃ）に示すように蓋体４０を開いて器体１の収納溝部３１内に収納して第２及び第３のモジュラジャック１６，１３を露出させるとともに、操作ハンドル１９を右側の位置に操作することにより、切換スイッチ１７を、加入者線接続端子部７が接続された共通端子を第２のモジュラジャック１６に接続された切換接点に接続する状態にする。その結果、第１及び第３のモジュラジャック１２，１３並びにモジュラケーブル接続端子部８が加入者線接続端子部７から切り離される。そして第２のモジュラジャック１６とスプリッタ（図示せず）のＬＩＮＥコネクタをモジュラケーブルで接続するとともに第３のモジュラジャック１３とスプリッタのＰＨＯＮＥコネクタ（戻し配線用コネクタ）をモジュラケーブルで接続すれば、モジュラケーブル接続端子部８並びに第１のモジュラジャック１２がスプリッタから第２及び第３のモジュラジャック１６，１３を介して加入者線接続端子部７と接続されることになる。このとき蓋体４０が器体１の収納溝部３１内に収納されているため、モジュラケーブルのモジュラプラグを第２及び第３のモジュラジャック１６，１３へ差し込みやすくなっている。そしてスプリッタのＭＯＤＥＭコネクタとＡＤＳＬモデムをモジュラケーブルで接続するとともにＡＤＳＬモデムをパーソナルコンピュータに接続すれば、ＡＤＳＬの高速データ通信サービスが利用できる。尚、ＡＤＳＬモデムとパーソナルコンピュータの間にハブ若しくはハブ付きのルータを介在し、このハブ若しくはハブ付きのルータのＬＡＮコネクタとＬＡＮ用モジュラジャック６２をＬＡＮケーブルで接続すれば、宅内に先行配線されたＬＡＮコンセントを介して複数台のパーソナルコンピュータにより高速データ通信サービスが利用できる。
【００３５】
上述のように本実施形態の配線装置Ａであれば、例えばｘＤＳＬ技術を用いた高速データ通信サービスを利用する場合、切換スイッチ１７によって第１のモジュラジャック１２並びにモジュラケーブル接続端子部８を加入者線接続端子部７を介して加入者線に接続しない状態に切り換え、蓋体４０を開位置に動かして第２及び第３のモジュラジャック１６，１３を露出させるとともに、データ通信用の機器（スプリッタ）に接続するモジュラケーブルのモジュラプラグを第２のモジュラジャック１６に接続し、スプリッタが具備する戻し配線用のコネクタに接続するモジュラケーブルのモジュラプラグを第３のモジュラジャック１３に接続することにより、第１のモジュラジャック１２とモジュラケーブル接続端子部８が第２及び第３のモジュラジャック１６，１３からスプリッタを介して加入者線に接続されるため、モジュラケーブル接続端子部８に接続された電話ケーブルにより先行配線された電話コンセントと加入者線との間にスプリッタが挿入され、先行配線された電話コンセントにも電話機やファクシミリを接続して使用することができる。しかも、高速データ通信サービスを利用しない場合には蓋体４０を閉位置に動かして第２及び第３のモジュラジャック１６，１３を覆い隠してしまうから、従来例のようにスプリッタの接続時にのみ使用する第２及び第３のモジュラジャック１６，１３が常に露出した状態にある場合に比較して使用方法が判りやすく使い勝手が良くなるという利点がある。尚、本実施形態では第２のモジュラジャック１６が切換スイッチ１７を介して加入者線接続端子部７に接続されているが、切換スイッチ１７を介さずに加入者線接続端子部７と第２のモジュラジャック１６を直接接続するようにしても構わない。
【図面の簡単な説明】
【００３６】
【図１】本発明の実施形態を示し、（ａ）は蓋体を閉じた状態の斜視図、（ｂ）は蓋体を開いた状態の斜視図、（ｃ）は蓋体を収納溝部に収納した状態の斜視図である。
【図２】同上の分解斜視図である。
【図３】同上をＬＡＮ用モジュラジャックととともに取付枠及びフラッシプレートを用いて壁面に施工する状態を示し、（ａ）は正面図、（ｂ）は下面図である。
【図４】同上をＬＡＮ用モジュラジャックととともに取付枠及びフラッシプレートを用いて壁面に施工する状態を示し、（ａ）は右側面図、（ｂ）は背面図である。
【図５】同上を示し、（ａ）は正面図、（ｂ）は同図（ａ）のＸ−Ｘ線断面矢視図である。
【図６】同上をＬＡＮ用モジュラジャックととともに取付枠及びフラッシプレートを用いて壁面に施工する状態を示し、蓋体を収納溝部に収納した状態の正面図である。
【図７】同上のカバーを外した状態の斜視図である。
【図８】同上の蓋体の要部を示す斜視図である。
【図９】同上の他の構成の蓋体の要部を示す斜視図である。
【図１０】従来例を示し、（ａ）は正面図、（ｂ）は下面図、（ｃ）は右側面図である。
【図１１】同上の一部省略した背面図である。
【符号の説明】
【００３７】
１  器体
２  ボディ
３  カバー
７  加入者線接続端子部
８  モジュラケーブル接続端子部
１２  第１のモジュラジャック
１３  第３のモジュラジャック
１６  第２のモジュラジャック
１７  切換スイッチ
４０  蓋体
【図１】
2006006013.tif 000003
【図２】
2006006013.tif 000004
【図３】
2006006013.tif 000005
【図４】
2006006013.tif 000006
【図５】
2006006013.tif 000007
【図６】
2006006013.tif 000008
【図７】
2006006013.tif 000009
【図８】
2006006013.tif 000010
【図９】
2006006013.tif 000011
【図１０】
2006006013.tif 000012
【図１１】
2006006013.tif 000013